(57)【要約】【課題】コンパクトで印刷時に発生する揮発性有機化合物を低減するインクジェット記録装置を提供する。【解決手段】インクジェット記録装置１００は、揮発性有機化合物を含むインクをメディア２０に吐出するヘッド１と、メディア２０との位置を移動させて、メディア２０に印刷を行なうインクジェット記録装置１００であって、ヘッド１からインクが吐出される際に生じる霧状のインク中の揮発性有機化合物を少なくとも分解する分解装置４を備える。【選択図】図１
2014004699.tif 000002
【特許請求の範囲】
【請求項１】
揮発性有機化合物を含むインクを記録媒体に吐出するヘッドと、上記記録媒体との位置を相対的に移動させて、当該記録媒体に印刷を行なうインクジェット記録装置であって、
上記ヘッドからインクが吐出される際に生じる霧状のインク中の揮発性有機化合物を少なくとも分解する分解手段を備えることを特徴とするインクジェット記録装置。
【請求項２】
上記ヘッドを有するキャリッジを備え、当該キャリッジは上記記録媒体上を走査し、
上記キャリッジが、上記分解手段を備えることを特徴とする請求項１に記載のインクジェット記録装置。
【請求項３】
上記キャリッジは、上記霧状のインクを吸着する吸着手段をさらに備え、
上記揮発性有機化合物及び上記霧状のインクに上記吸着手段を通過させた後に、上記分解手段は、当該揮発性有機化合物を分解することを特徴とする請求項２に記載のインクジェット記録装置。
【請求項４】
上記ヘッドは固定されており、
上記記録媒体を移動させて上記記録媒体に印刷を行なうものであり、
上記ヘッドから見て印刷後の上記記録媒体が移動する側に上記分解手段が設けられていることを特徴とする請求項１に記載のインクジェット記録装置。
【請求項５】
上記分解手段は、上記揮発性有機化合物及び上記霧状のインクを吸引する吸引口を備え、
上記吸引口は、上記霧状のインクを吸着する吸着手段を備え、
上記揮発性有機化合物及び上記霧状のインクに上記吸着手段を通過させた後に、上記分解手段は、当該揮発性有機化合物を分解することを特徴とする請求項４に記載のインクジェット記録装置。
【請求項６】
上記分解手段は、上記揮発性有機化合物を導入する導入口と、上記揮発性有機化合物を分解する際に生じる熱を有する排気ガスを排出する排出口とを備え、
上記排出口から排出される上記排気ガスを記録媒体に送風することにより、上記記録媒体を乾燥することを特徴とする請求項３又は５に記載のインクジェット記録装置。
【請求項７】
上記分解手段は、上記揮発性有機化合物を分解し、上記排気ガスを生じさせる分解部と、上記揮発性有機化合物を上記分解部に導入し、かつ上記排気ガスを上記分解部から上記排出口へと導く熱交換部とを備え、
上記熱交換部は、上記排気ガスから上記揮発性有機化合物に熱を供給することを特徴とする請求項６に記載のインクジェット記録装置。
【請求項８】
上記分解手段は、上記導入口から上記分解部に上記揮発性有機化合物を導入するための導入管を備え、
上記導入管は、上記分解部及び上記熱交換部より外側に設けられていることを特徴とする請求項７に記載のインクジェット記録装置。
【請求項９】
上記分解手段は、酸化分解処理法によって上記揮発性有機化合物を分解することを特徴とする請求項１〜８の何れか一項に記載のインクジェット記録装置。
【発明の詳細な説明】
【技術分野】
【０００１】
本発明は、揮発性有機化合物（ＶＯＣ）を分解するインクジェット記録装置に関する。
【背景技術】
【０００２】
ドライヤ本体で印刷物のインキを乾燥させた排気ガスを、燃焼式の脱臭装置を通して脱臭してから大気に排出するように構成した印刷機のドライヤが特許文献１に開示されている。
【先行技術文献】
【特許文献】
【０００３】
【特許文献１】特開平１１−２９１４５４号公報（１９９９年１０月２６日公開）
【発明の概要】
【発明が解決しようとする課題】
【０００４】
印刷紙を乾燥させることによって揮発する揮発性有機化合物を燃焼させ、発生熱によって印刷紙の乾燥を行う装置は、従来から知られている。しかし、特許文献１に記載されているように、印刷紙を覆うようなキャビティの他に蓄熱体などの付帯装置を別途設ける必要があり、また配管のスペースが必要になるなど、脱臭手段を含む印刷装置全体としては装置が大型化してしまうことがある。
【０００５】
本発明は上記課題に鑑みてなされたものであり、コンパクトで印刷時に発生する揮発性有機化合物を低減するインクジェット記録装置を提供することを目的とする。
【課題を解決するための手段】
【０００６】
上記の課題を解決するために、本発明に係るインクジェット記録装置は、揮発性有機化合物を含むインクを記録媒体に吐出するヘッドと、上記記録媒体との位置を相対的に移動させて、当該記録媒体に印刷を行なうインクジェット記録装置であって、上記ヘッドからインクが吐出される際に生じる霧状のインク中の揮発性有機化合物を少なくとも分解する分解手段を備えることを特徴とする。
【０００７】
インクが揮発性有機化合物を含んでいるため、ヘッドから当該インクを記録媒体に吐出すると、揮発性有機化合物が揮発する。また、ヘッドからインクが吐出される際に揮発性有機化合物を含む霧状のインクが生じる。ここで、分解手段は、記録媒体に吐出されたインク中から揮発する揮発性有機化合物に加え、ヘッドからインクが吐出される際に生じる霧状のインク中の揮発性有機化合物を分解する。よって、揮発性有機化合物がインクジェット記録装置内に広く拡散する前の高濃度の揮発性有機化合物を収集し、効率的に分解することができる。そのため、インクジェット記録装置内の大量の空気を処理する必要が無く、揮発性有機化合物を分解する際に消費する電力が少なくて済む。
【０００８】
また、分解手段は、インクが吐出される際に生じる霧状のインク中の揮発物質を分解できる位置にあるため、ヘッドの近傍に位置する。そのため、装置をコンパクトに構成できる。
【０００９】
本発明に係るインクジェット記録装置では、上記ヘッドを有するキャリッジを備え、当該キャリッジは上記記録媒体上を走査し、上記キャリッジが、上記分解手段を備えることが好ましい。
【００１０】
記録媒体上を走査するキャリッジが揮発性有機化合物を分解する分解手段を有しているため、揮発性有機化合物がインクジェット記録装置内に広く拡散する前の高濃度の揮発性有機化合物を収集し、効率的に分解することができる。
【００１１】
また、キャリッジが分解手段を備えているため、インクジェット記録装置をよりコンパクトに構成できる。
【００１２】
本発明に係るインクジェット記録装置では、上記キャリッジは、ヘッドからインクが吐出される際に生じる霧状のインクを吸着する吸着手段をさらに備え、上記揮発性有機化合物及び上記霧状のインクに上記吸着手段を通過させた後に、上記分解手段は、当該揮発性有機化合物を分解することが好ましい。
【００１３】
インクに含まれる揮発性有機化合物が揮発すると、ヘッドからインクが吐出される際に生じる霧状のインクとインクジェット記録装置内で混合する。そして、その混合物に吸着手段を通過させると、霧状のインクが吸着される。そのため、揮発性有機化合物のみを分解手段に導入することができ、霧状のインクが分解手段に導入されることにより分解手段の分解機能が低下することを防止できる。
【００１４】
気流発生装置を設けた場合に、それを吸着手段による霧状のインクの回収と分解手段への揮発性有機化合物の導入とに兼用できるため、インクジェット記録装置をよりコンパクトに構成できる。
【００１５】
本発明に係るインクジェット記録装置では、上記ヘッドは固定されており、上記記録媒体を移動させて上記記録媒体に印刷を行なうものであり、上記ヘッドから見て印刷後の上記記録媒体が移動する側に上記分解手段が設けられていることが好ましい。
【００１６】
記録媒体への印刷が終了した後に、分解手段が設けられている側に当該記録媒体が移動する。そして、分解手段は、印刷後の記録媒体から揮発した揮発性有機化合物を効率的に収集し、分解することができる。
【００１７】
本発明に係るインクジェット記録装置では、上記分解手段は、上記揮発性有機化合物及び上記霧状のインクを吸引する吸引口を備え、上記吸引口は、上記霧状のインクを吸着する吸着手段を備え、上記揮発性有機化合物及び上記霧状のインクに上記吸着手段を通過させた後に、上記分解手段は、当該揮発性有機化合物を分解することが好ましい。
【００１８】
インクに含まれる揮発性有機化合物が揮発すると、ヘッドからインクが吐出される際に生じる霧状のインクとインクジェット記録装置内で混合する。そして、その混合物を吸引口の内部に吸引し、当該混合物に吸着手段を通過させると、霧状のインクが吸着される。そのため、揮発性有機化合物のみを分解手段に導入することができ、霧状のインクが分解手段に導入されることにより分解手段の分解機能が低下することを防止できる。
【００１９】
本発明に係るインクジェット記録装置では、上記分解手段は、上記揮発性有機化合物を導入する導入口と、上記揮発性有機化合物を分解する際に生じる熱を有する排気ガスを排出する排出口とを備え、上記排出口から排出される上記排気ガスを記録媒体に送風することにより、上記記録媒体を乾燥することが好ましい。
【００２０】
揮発性有機化合物を分解することにより、熱を有する排気ガスが生じる。排出口を介して、この排気ガスを分解手段から排出させ、記録媒体に送風する。これにより、熱を有する排気ガスが記録媒体に送風され、当該記録媒体を効率的に乾燥することができる。
【００２１】
本発明に係るインクジェット記録装置では、上記分解手段は、上記揮発性有機化合物を分解し、上記排気ガスを生じさせる分解部と、上記揮発性有機化合物を上記分解部に導入し、かつ上記排気ガスを上記分解部から上記排出口へと導く熱交換部とを備え、上記熱交換部は、上記排気ガスから上記揮発性有機化合物に熱を供給することが好ましい。
【００２２】
熱交換部において、排気ガスは揮発性有機化合物を分解する際に生じる熱を有しており、その熱を排気ガスから揮発性有機化合物を含む気体（例えば、揮発性有機化合物と空気の混合気体）に供給する。そして、熱が供給された揮発性有機化合物を含む気体が分解部に導入されるため、分解部内の温度低下を抑制できる。
【００２３】
本発明に係るインクジェット記録装置では、上記分解手段は、上記導入口から上記分解部に上記揮発性有機化合物を導入するための導入管を備え、上記導入管は、上記分解部及び上記熱交換部より外側に設けられていることが好ましい。
【００２４】
導入管は、分解部及び熱交換部よりも外側に設けられているため、揮発性有機化合物を分解する際に生じる熱を、導入管を通過する揮発性有機化合物を含む気体が吸収することができる。また、分解部及び熱交換部にて生じる熱がキャリッジに伝導することをより抑制して、キャリッジの熱による損傷を抑制することができる。
【００２５】
本発明に係るインクジェット記録装置では、上記分解手段は、酸化分解処理法によって上記揮発性有機化合物を分解することが好ましい。
【００２６】
酸化分解処理法を採用することにより、インクジェット記録装置をコンパクトにすることができ、他の分解手法に比べて、長期間安定した揮発性有機化合物の除去性能を維持することができる。酸化分解処理法の具体例としては、触媒方式、バーナー又は電熱線等を使用する直接燃焼方式等が挙げられる。
【発明の効果】
【００２７】
本発明は、コンパクトで印刷時に発生する揮発性有機化合物を低減するインクジェット記録装置を提供することができるという効果を奏する。
【図面の簡単な説明】
【００２８】
【図１】本発明の一実施形態に係るインクジェット記録装置を示す図である。
【図２】本発明の一実施形態に係るインクジェット記録装置が備える分解手段を示す図である。
【図３】本発明の一実施形態に係るインクジェット記録装置を示す図である。
【図４】本発明の他の実施形態に係るインクジェット記録装置を示す図である。
【図５】本発明の他の実施形態に係るインクジェット記録装置を示す上面図である。
【発明を実施するための形態】
【００２９】
〔第一実施形態〕
以下、本発明の一実施形態について、図１を用いて、詳細に説明する。図１は、本実施形態に係るインクジェット記録装置を示す図である。
【００３０】
［インクジェット記録装置１００］
本発明に係るインクジェット記録装置は、揮発性有機化合物（ＶＯＣ）を含むインク（以下、「インク」とも称する。）を記録媒体に吐出するために使用する。また、本発明に係るインクジェット記録装置は、ヘッドと記録媒体との位置を相対的に移動させて、記録媒体に印刷を行なっている。
【００３１】
図１に示すように、本実施形態に係るインクジェット記録装置１００は、キャリッジ２、ガイド機構６、プラテン７、循環用分解装置８及び排気用分解装置９を備えている。インクジェット記録装置１００は、ヘッド１の移動方向と、メディア２０の移動方向が直交した状態でメディア２０に印刷を行なうシリアルヘッド式のインクジェットプリンタである。
【００３２】
〔キャリッジ２〕
キャリッジ２は、ヘッド１から揮発性有機化合物を含むインクをメディア（記録媒体）２０に吐出する。また、キャリッジ２は、ガイド機構６に沿って、図１中の矢印Ｘ方向に走査しながら、所望の画像をメディア２０に描画する。また、キャリッジ２は、吸着部材（吸着手段）３、分解装置（分解手段）４及びメディア乾燥ファン５をさらに備えている。
【００３３】
（メディア２０）
記録媒体は、ヘッドから吐出されるインクを付着させるものである。記録媒体は、目的に応じて適宜定めることができ、例えば、板状部材、シート状の部材等が挙げられる。
【００３４】
本実施形態において、メディア２０はプラテン７に載置されている。プラテン７は、メディア２０に描画された画像を乾燥するために、ヒーター等を備えている。
【００３５】
（インク）
本発明に用いるインクとしては、溶剤を含んでいるインクであれば限定されず、例えば、水性インク、溶剤インク、熱硬化型インク、紫外線硬化型インク等のインクが挙げられる。本実施形態において、これらインクは、ヘッド１からメディア２０に吐出され、プラテン７で加熱されることにより、溶剤に含まれる水、揮発性有機化合物等が揮発する。
【００３６】
＜揮発性有機化合物＞
揮発性有機化合物は、常温常圧で大気中に容易に揮発する有機化学物質であり、水性インク、溶剤インク、熱硬化型インク、紫外線硬化型インク等のインクに使用される有機溶剤である。揮発性有機化合物としては、例えば、炭化水素系溶剤に含まれるヘキサン、ヘプタン、オクタン、イソオクタン、シクロヘキサン、ベンゼン、トルエン、ｏ−キシレン、ｍ−キシレン、ｐ−キシレン、エチルベンゼン等が挙げられ、また、ジクロロメタン、フロン類、プロピレングリコールモノメチルエーテル、酢酸プロピル、プロピレングリコールモノメチルエーテルアセテート、エチレングリコール、テトラリン、Ｎ−メチル−２−ピロリドン及びエチレングリコールモノメチルエーテル等の有機化学物質が挙げられる。
【００３７】
（吸着部材３）
本発明に係るインクジェット記録装置が備える吸着手段は、ヘッドからインクが吐出される際に生じる霧状のインクを吸着するものである。通常、ヘッドから吐出されたインクは全て記録媒体に付着せず、霧状のインクがインクジェット記録装置内に生じる。そして、インクに含まれる揮発性有機化合物が揮発すると、ヘッドからインクが吐出される際に生じる霧状のインクとインクジェット記録装置内で混合する。
【００３８】
本実施形態において、吸着部材３はキャリッジ２に設けられており、図１に示すように、揮発性有機化合物及び霧状のインクの混合物に吸着部材３を通過させた後でなければ、揮発性有機化合物を分解装置４に導入することができない。そして、その混合物に吸着部材３を通過させると、霧状のインクが吸着される。そのため、霧状のインクが分解装置４に導入されることを防止でき、揮発性有機化合物のみを分解装置４に導入できる。また、揮発性有機化合物を分解装置４に導入する際に、揮発性有機化合物の分解に用いる空気（酸素）と混合された状態で分解装置４に導入される。
【００３９】
吸着部材３は、図１に示すように、揮発性有機化合物を分解装置４に導入するための流路上に設けておくことにより、霧状のインクが分解装置４に導入されることを好適に防止できる。さらに、このような構造にすることにより、吸着部材３による霧状のインク回収と分解装置４への揮発性有機化合物の導入とを一つの気流発生装置（ファン３２）で兼用でき、インクジェット記録装置をよりコンパクトに構成できる。
【００４０】
本発明に係るインクジェット記録装置が備える吸着手段としては、霧状のインクを吸着することが可能であれば限定されず、例えば、多孔質フィルター、活性炭、不織布等が挙げられる。フィルター目開きが霧状のインクの直径に相当する綾畳みフィルター又はファイバーフィルターであることが望ましい。
【００４１】
（分解装置４）
本発明に係るインクジェット記録装置が備える分解手段は、キャリッジに設けられており、揮発性有機化合物を分解するものである。以下、分解装置４の一形態について、図１及び２を用いて説明する。図２は、本発明の一実施形態に係るインクジェット記録装置が備える分解手段を示す図である。
【００４２】
図２に示すように、分解装置４は、導入口３１、ファン３２、導入管３３、熱交換部３４、分解部３５及び排出口３６を備えている。なお、分解装置４はキャリッジ２に設けられているが、それ以外にも必要な数だけ、分解装置４と同様の構成を有する分解手段をインクジェット記録装置１００内に設けてもよい。
【００４３】
分解装置４は、ヘッド１からインクが吐出される際に生じる霧状のインク中の揮発性有機化合物を少なくとも分解するものであればよい。つまり、霧状のインク中の揮発性有機化合物を分解するものでありさえすれば、他の箇所から発生する揮発性有機物質をも分解してもよい。例えば、メディア（記録媒体）上に着弾したインクから揮発した揮発性有機物質をも好適に分解するものであってもよい。本実施形態では、分解装置４はメディア上に着弾したインクから揮発した揮発性有機物質をも好適に分解できる位置にある。つまり、分解装置４は霧状のインク中の揮発性有機化合物のみならず、メディア上に着弾したインクから揮発した揮発性有機物質をも分解するものである。
【００４４】
キャリッジ２に設けられている分解装置４の好ましい位置としては、例えば、キャリッジ２の中央部であり、ガイド機構６の上部であることがより好ましい。この位置に分解装置４を設けることにより、ガイド機構６に沿ってキャリッジ２を走査する際に、キャリッジ２が不安定になることを防止できる。また、分解装置４をガイド機構６が支えることができるため、分解装置４の荷重によるインクジェット記録精度への影響を低減することができる。よって、荷重による影響を低減するために、ガイド機構６の強度を向上させるために、ガイド機構６の質量が増加する、または、インクジェット記録装置１００が大型化することを防止できる。
【００４５】
導入口３１は、揮発性有機化合物を分解装置４内に導入するためのものである。また、図１に示すように、吸着部材３を設けた場合には、霧状のインクが導入口３１に供給されないため、揮発性有機化合物のみを分解装置４内に導入でき、霧状のインクが分解装置４内に付着し、分解装置４の分解機能が低下することを防止できる。
【００４６】
ファン３２は、気流を発生させ、流路内に霧状のインク及び揮発性有機化合物を導き、かつ流路内から導入口３１に導入された揮発性有機化合物を導入管３３に導くものである。
【００４７】
導入管３３は、揮発性有機化合物を導入口３１から熱交換部３４に導入するための管であり、分解部３５及び熱交換部３４の外側に設けられている。
【００４８】
熱交換部３４は、揮発性有機化合物を含む気体（揮発性有機化合物と空気との混合気体）を分解部３５に導入し、かつ分解部３５において、揮発性有機化合物を分解する際に生じる熱を有する排気ガスを排出口３６に導くものである。排気ガスは、銅、ＳＵＳ、アルミニウム、鉄等により形成されたパイプ管内部を通過している。熱交換部３４は、排気ガスから揮発性有機化合物を含む気体に熱を供給するように形成されている。
【００４９】
分解部３５は、熱交換部３４から供給された揮発性有機化合物を分解し、排気ガスを生じさせるものである。また、本発明に係るインクジェット記録装置が備える分解部は、揮発性有機化合物の分解反応を促進させるために、ヒーター等の加熱手段を備えていてもよい。
【００５０】
揮発性有機化合物の分解には、任意の分解方法を採用することができるが、酸化分解処理法によって揮発性有機化合物を分解することが好ましい。吸着法を用いて、揮発性有機化合物を除去する際には、吸着物の交換が必要になり、長期間安定した除去性能を得ることが難しい。また、冷却凝縮法を用いて、揮発性有機化合物を凝縮する際には、冷却手段を設け、かつ揮発性有機化合物を除去する方法が必要となり、装置が大型化してしまう。一方、酸化分解処理法を採用することにより、他の分解手法に比べて、長期間安定した揮発性有機化合物の除去性能を維持することができる。酸化分解処理法の具体例としては、触媒方式、バーナー又は電熱線等を使用する直接燃焼方式等が挙げられる。
【００５１】
また、酸化分解処理法としては、例えば、特開２００５−１３９４４０号公報（２００５年６月２日公開、特許４５１７１４６号）が開示されている方法を用いることができる。
【００５２】
分解部３５での揮発性有機化合物の分解に、例えば、触媒として酸化クロム、酸化ニッケル、酸化鉄、酸化チタン等の酸化物半導体を使用する場合には、これら触媒の温度が２００℃以上、５００℃以下になるようにヒーター等によってこれら触媒を加熱し、熱活性することが好ましい。これにより、揮発性有機化合物を分解部３５にて効率的に分解することができる。
【００５３】
分解部３５にて、揮発性有機化合物は、水蒸気、炭酸ガス等に分解され、これらの気体は排気ガスとして、熱交換部３４を介して排出口３６から排出される。揮発性有機化合物が排気ガスに分解される際に熱が生じ、排気ガスは揮発性有機化合物を分解する際に生じる熱を有している。ここで、揮発性有機化合物を分解する際に生じる熱には、当該化合物を分解することによる発熱、及びヒーター等の加熱手段から生じた熱が含まれる。
【００５４】
また、熱交換部３４を通過する排気ガスは、揮発性有機化合物を分解する際に生じる熱を有しているため、熱交換部３４において、その熱を排気ガスから揮発性有機化合物を含む気体に供給する。そして、熱が供給された揮発性有機化合物を含む気体が分解部３５に導入されるため、分解部３５内の温度低下を抑制できる。よって、揮発性有機化合物の分解を促進させるために、分解部３５にヒーター等の加熱手段を設けている場合であっても、必要な加熱量を削減することができる。
【００５５】
また、排気ガスと揮発性有機化合物を含む気体とが熱交換することにより、排気ガスの温度を下げることができる。そのため、高温の排気ガスが排出されることによるインクジェット記録装置の損傷、変形等を抑制できる。なお、熱交換部３４にて排気ガス及び揮発性有機化合物を含む気体の温度を適切な範囲に定めるには、熱交換部３４の構成を変化させ、排気ガスから揮発性有機化合物を含む気体に移動する熱量を適宜調整すればよく、例えば、熱交換部３４におけるパイプ管の材質、パイプ管と揮発性有機化合物を含む気体との接触回数及び接触距離等を適宜調整すればよい。
【００５６】
また、導入管３３は、分解部３５及び熱交換部３４よりも外側に設けられているため、揮発性有機化合物を分解する際に生じる熱を、導入管３３を通過する揮発性有機化合物を含む気体が吸収することができる。また、分解部３５及び熱交換部３４にて生じる熱が、キャリッジ２に伝導することをより抑制するため、キャリッジ２が熱によって損傷することを抑制できる。
【００５７】
本発明に係るインクジェット記録装置が備える導入管は、分解部及び熱交換部を覆うように形成されていることがより好ましい。これにより、導入管内の揮発性有機化合物を含む気体が分解部及び熱交換部から放出される熱を吸収でき、当該化合物の分解効率を向上させることができる。また、高温部が露出しないため、安全性、耐久性等に優れたインクジェット記録装置を実現できる。
【００５８】
排出口３６は、排気ガスを分解装置４外に排出するためのものである。
【００５９】
以上のように、キャリッジ２は、揮発性有機化合物を分解する分解装置４を有しているため、揮発性有機化合物がインクジェット記録装置１００内に広く拡散する前の濃度の高い揮発性有機化合物を収集し、効率的に分解することができる。そのため、インクジェット記録装置１００内の大量の空気を処理する必要が無く、揮発性有機化合物を分解する際に消費する電力が少なくて済む。
【００６０】
また、キャリッジ２が分解装置４を備えているため、インクジェット記録装置１００をコンパクトに構成できる。また、本発明は様々な形式のインクジェットプリンタ（インクジェット記録装置）に適用することができ、例えば、記録媒体を覆うキャビティを装備できないフラットベッド型のインクジェットプリンタであっても、揮発性有機化合物の分解効果を得ることができる。
【００６１】
さらに、図１に示すように、メディア２０を載置しているプラテン７とガイド機構６は広範囲において対面しているため、インクジェット記録装置１００内に生じる揮発性有機化合物の発生量に対する、キャリッジ２の走査範囲における揮発性有機化合物の発生量の割合は多い。そのため、効率的に揮発性有機化合物を分解することができる。
【００６２】
排出口３６から排出される排気ガスを、キャリッジ２に取り付けられたメディア乾燥ファン５により排気ガスをメディア２０に送風することにより、メディア２０を乾燥する。
【００６３】
メディア乾燥ファン５は、排出口３６から排出された排気ガスをメディア２０に送風することができる構成であれば限定されず、キャリッジ２ではなく、インクジェット記録装置１００の任意の位置に設置することができる。また、排気ガスは、メディア２０に直接吹き付けてもよいが、プラテン７内に送風し、ヒーターとして活用してもよい。
【００６４】
上記のように、揮発性有機化合物を分解装置４にて分解することにより、熱を有する排気ガスが生じる。この排気ガスを、排出口３６を介して、分解装置４から排出させ、メディア２０に送風して、乾燥しているため、メディア２０を効率的に乾燥することができる。
【００６５】
（循環用分解装置８）
分解装置４と同様の構成を有する分解手段として、循環用分解装置８をインクジェット記録装置１００内に設けてもよい。図１に示すように、循環用分解装置８は、メディア２０及びガイド機構６の端部に設けられ、分解装置４により分解されなかった揮発性有機化合物を収集し、分解する。そして、分解後の排気ガスを、排出口３６からガイド機構６の上部及びプラテン７の下部に排出する。
【００６６】
ガイド機構６の上部に排出された排気ガスは、上記分解装置４から排出される排気ガスと同様に熱を有している。そのため、メディア乾燥ファン５によりメディア２０に送風されることで、メディア２０の乾燥に寄与する。
【００６７】
また、プラテン７の下部に排出された排気ガスは、上記分解装置４から排出される排気ガスと同様に熱を有している。そのため、プラテン７内に排気ガスを送風し、プラテン７をヒーターとして活用することができる。
【００６８】
循環用分解装置８は、揮発性有機化合物を導入口３１に導入する流路を設け、そこに霧状のインクを吸着する吸着手段を備えていてもよい。これにより、霧状のインクが循環用分解装置８に導入されることを防止できる。
【００６９】
（排気用分解装置９）
また、分解装置４と同様の構成を有する分解手段として、排気用分解装置９をインクジェット記録装置１００内に設けてもよい。図１に示すように、排気用分解装置９は、インクジェット記録装置１００の外部に露出しており、分解装置４又は循環用分解装置８により分解されなかった揮発性有機化合物を収集し、分解する。そして、分解後の排気ガスを、排出口３６から排気する。
【００７０】
排気用分解装置９は、揮発性有機化合物を導入口３１に導入する流路を設け、そこに霧状のインクを吸着する吸着手段を備えていてもよい。これにより、霧状のインクが排気用分解装置９に導入されることを防止できる。
【００７１】
以下、本実施形態に係るインクジェット記録装置１００の各部材の位置関係について、図３を用いて説明する。図３は、本発明の一実施形態に係るインクジェット記録装置を示す図である。なお、図３において、各構成を簡略化しており、メディア乾燥ファン５、循環用分解装置８等の構成を省略している。
【００７２】
図３に示すように、インクジェット記録装置１００は、キャリッジ２、メディア乾燥ファン５、ガイド機構６、プレプラテン１０、メインプラテン１１（プラテン７）、アフタプラテン１２、駆動部１３及び従動部１４を備えている。
【００７３】
インクジェット記録装置１００は、メインプラテン１１とガイド機構６とが互いに対面する領域において、矢印Ｘ方向に走査しながらメディア２０に揮発性有機化合物を含むインクを吐出する。
【００７４】
プレプラテン１０、メインプラテン１１及びアフタプラテン１２はいずれもメディア２０を載せるための載置台である。また、プレプラテン１０、メインプラテン１１及びアフタプラテン１２のいずれもその上に載せられるメディア２０を加熱することができる。
【００７５】
駆動部１３は、２つの駆動ローラ１３ａ、１３ｂからなり、これらが互いに駆動することにより、メディア２０を図３中の矢印Ｙ方向に移動させる。従動部１４は、２つの従動ローラ１４ａ、１４ｂからなる。
【００７６】
駆動ローラ１３ａ、１３ｂの駆動により、従動ローラ１４ｂに巻きつけられていたメディア２０は、矢印Ｙ方向に搬送され、駆動ローラ１３ａに巻きつけられる。また、従動ローラ１４ａは、メディア２０を挟んで駆動ローラ１３ｂと対になっており、メディア２０の搬送を補助するために設けられている。
【００７７】
図３に示されるようなインクジェット記録装置１００において、メインプラテン１１上に載置されたメディア２０に揮発性有機化合物を含むインクがヘッド１から吐出され、矢印Ｘ方向に走査し、所望の範囲へのインクの吐出が終了した後に、駆動部１３を駆動させ、インクが吐出されたメディア２０はアフタプラテン１２の方に移動する。
【００７８】
メディア２０に吐出されたインクは、まずメインプラテン１１上で加熱されるため、インクに含まれる大部分の揮発性有機化合物はメインプラテン１１上で揮発し、少量の揮発性有機化合物はアフタプラテン１２上で揮発する。ここで、分解装置４を備えたキャリッジ２は、ガイド機構６に沿って、メインプラテン１１上を走査するため、発生した揮発性有機化合物を効率的に分解することができる。
【００７９】
〔第二実施形態〕
以下に、本発明の他の実施形態について、図４及び５を用いて説明する。図４は、本発明の他の実施形態に係るインクジェット記録装置を示す図であり、図５は、本発明の他の実施形態に係るインクジェット記録装置を示す上面図である。なお、第一実施形態と同一の部材については、共通の番号を付し、その説明を省略している。
【００８０】
図４及び５に示すように、本実施形態に係るインクジェット記録装置は、ヘッド１が固定された状態でメディア２０を移動させ、メディア２０に印刷を行なうラインヘッド式のインクジェットプリンタである。
【００８１】
また、ヘッド１及びキャリッジ２とメインプラテン１１とは対面しており、複数のヘッド１は、メインプラテン１１上のメディア２０にインクを吐出する。メディア２０への印刷が終了した後、図４に示すように、メディア２０を矢印Ｙ方向に移動させ、メディア２０の別の領域にインクを吐出し、印刷を開始する。
【００８２】
本実施形態に係るインクジェット記録装置において、ヘッド１から見て印刷後のメディア２０が移動する側に分解装置４が設けられている。分解装置４は、吸引口３７及び吹き出し口３８を備えている。分解装置４は、キャリッジ２の側面に設けられていてもよく、キャリッジ２とは別に設けられていてもよい。
【００８３】
吸引口３７は、揮発性有機化合物及び霧状のインクを吸引するものである。そのため、分解装置４は、吸引口３７を介して、ヘッド１からインクが吐出された際に生じる霧状のインク、及び、メインプラテン１１又はアフタプラテン１２上でメディア２０から揮発した揮発性有機化合物を吸引する。
【００８４】
吸引口３７は、霧状のインクを吸着する吸着手段（図示せず）を備えている。そのため、揮発性有機化合物及び霧状のインクを含む混合物に上記吸着手段を通過させると、霧状のインクが吸着される。そのため、揮発性有機化合物のみを分解手段に導入することができ、霧状のインクが分解手段に導入されることにより分解手段の分解機能が低下することを防止できる。
【００８５】
メディア２０への印刷が終了した後に、分解装置４が設けられているアフタプラテン１２側にメディア２０が移動する。そして、分解装置４は、印刷後のメディア２０から揮発した揮発性有機化合物を効率的に収集し、分解することができる。
【００８６】
また、分解装置４は、ヘッド１からインクが吐出される際に生じる霧状のインク中の揮発性有機化合物を分解できる位置にあるため、ヘッド１の近傍に位置する。揮発性有機化合物がインクジェット記録装置内に広く拡散する前に高濃度の揮発性有機化合物を収集し、効率的に分解することができ、装置をコンパクトに構成できる。
【００８７】
気流発生装置を吸引口に設けた場合に、それを吸着手段による霧状のインクの回収と分解手段への揮発性有機化合物の導入とに兼用できるため、インクジェット記録装置をよりコンパクトに構成できる。
【００８８】
吹き出し口３８は、分解装置４の分解部３５にて揮発性有機化合物が分解されて生じた排気ガスを排気し、アフタプラテン１２上のメディア２０に吹き付けるためのものである。熱を有する排気ガスをメディア２０に吹き付けることにより、メディア２０を効率的に乾燥することができる。
【００８９】
本実施形態においては、印刷後のメディア２０が移動する側にのみ分解装置４が設けられている構成について説明したが、これに限定されない。例えば、分解手段を印刷前のメディア２０が位置するプレプラテン１０側にも設けてもよい。これにより、メディア２０への印刷中に生じた揮発性有機化合物をより効率よく分解することができる。また、第一実施形態と同様、循環用の分解装置又は排気用の分解装置をインクジェット記録装置内に設けてもよい。
【００９０】
［付記事項］
本発明の一実施形態に係るインクジェット記録装置１００は、揮発性有機化合物を含むインクをメディア２０に吐出するヘッド１と、メディア２０との位置を相対的に移動させて、メディア２０に印刷を行なうインクジェット記録装置１００であって、ヘッド１からインクが吐出される際に生じる霧状のインク中の揮発性有機化合物を少なくとも分解する分解装置４を備える。
【００９１】
インクが揮発性有機化合物を含んでいるため、ヘッド１から当該インクをメディア２０に吐出すると、揮発性有機化合物が揮発する。また、ヘッド１からインクが吐出される際に揮発性有機化合物を含む霧状のインクが生じる。ここで、分解装置４は、メディア２０に吐出されたインク中から揮発する揮発性有機化合物に加え、ヘッド１からインクが吐出される際に生じる霧状のインク中の揮発性有機化合物を分解する。よって、揮発性有機化合物がインクジェット記録装置１００内に広く拡散する前の高濃度の揮発性有機化合物を収集し、効率的に分解することができる。そのため、インクジェット記録装置１００内の大量の空気を処理する必要が無く、揮発性有機化合物を分解する際に消費する電力が少なくて済む。
【００９２】
また、分解装置４は、インクが吐出される際に生じる霧状のインク中の揮発物質を分解できる位置にあるため、ヘッド１の近傍に位置する。そのため、装置をコンパクトに構成できる。
【００９３】
また、インクジェット記録装置１００では、ヘッド１を有するキャリッジ２を備え、キャリッジ２はメディア２０上を走査し、キャリッジ２が、分解装置４を備える。
【００９４】
メディア２０上を走査するキャリッジ２が揮発性有機化合物を分解する分解装置４を有しているため、揮発性有機化合物がインクジェット記録装置１００内に広く拡散する前の高濃度の揮発性有機化合物を収集し、効率的に分解することができる。
【００９５】
また、キャリッジ２が分解装置４を備えているため、インクジェット記録装置１００をよりコンパクトに構成できる。
【００９６】
また、インクジェット記録装置１００では、キャリッジ２は、ヘッド１からインクが吐出される際に生じる霧状のインクを吸着する吸着部材３をさらに備え、上記揮発性有機化合物及び上記霧状のインクに吸着部材３を通過させた後に、分解装置４は、当該揮発性有機化合物を分解する。
【００９７】
インクに含まれる揮発性有機化合物が揮発すると、ヘッド１からインクが吐出される際に生じる霧状のインクとインクジェット記録装置１００内で混合する。そして、その混合物に吸着部材３を通過させると、霧状のインクが吸着される。そのため、揮発性有機化合物のみを分解装置４に導入することができ、霧状のインクが分解装置４に導入されることにより分解装置４の分解機能が低下することを防止できる。
【００９８】
また、ファン３２等の気流発生装置を設けた場合に、それを吸着部材３による霧状のインクの回収と分解装置４への揮発性有機化合物の導入とに兼用できるため、インクジェット記録装置１００をよりコンパクトに構成できる。
【００９９】
また、インクジェット記録装置１００では、ヘッド１は固定されており、メディア２０を移動させてメディア２０に印刷を行なうものであり、ヘッド１から見て印刷後のメディア２０が移動する側に分解装置４が設けられている。
【０１００】
メディア２０への印刷が終了した後に、分解装置４が設けられている側にメディア２０が移動する。そのため、分解装置４は、印刷後のメディア２０から揮発した揮発性有機化合物を効率的に収集し、分解することができる。
【０１０１】
また、第二実施形態に係るインクジェット記録装置では、分解装置４は、上記揮発性有機化合物及び上記霧状のインクを吸引する吸引口３７を備え、吸引口３７は、上記霧状のインクを吸着する吸着手段を備え、上記揮発性有機化合物及び上記霧状のインクに上記吸着手段を通過させた後に、分解装置４は、当該揮発性有機化合物を分解する。
【０１０２】
インクに含まれる揮発性有機化合物が揮発すると、ヘッド１からインクが吐出される際に生じる霧状のインクとインクジェット記録装置内で混合する。そして、その混合物を吸引口３７の内部に吸引し、当該混合物に吸着手段を通過させると、霧状のインクが吸着される。そのため、揮発性有機化合物のみを分解装置４に導入することができ、霧状のインクが分解装置４に導入されることにより分解装置４の分解機能が低下することを防止できる。
【０１０３】
また、インクジェット記録装置１００では、分解装置４は、上記揮発性有機化合物を導入する導入口３１と、上記揮発性有機化合物を分解する際に生じる熱を有する排気ガスを排出する排出口３６とを備え、排出口３６から排出される上記排気ガスをメディア２０に送風することにより、メディア２０を乾燥する。
【０１０４】
揮発性有機化合物を分解することにより、熱を有する排気ガスが生じる。排出口３６を介して、この排気ガスを分解装置４から排出させ、メディア２０に送風する。これにより、熱を有する排気ガスがメディア２０に送風され、メディア２０を効率的に乾燥することができる。
【０１０５】
また、インクジェット記録装置１００では、分解装置４は、上記揮発性有機化合物を分解し、上記排気ガスを生じさせる分解部３５と、上記揮発性有機化合物を分解部３５に導入し、かつ上記排気ガスを分解部３５から排出口３６へと導く熱交換部３４とを備え、熱交換部３４は、上記排気ガスから上記揮発性有機化合物に熱を供給する。
【０１０６】
熱交換部３４において、排気ガスは揮発性有機化合物を分解する際に生じる熱を有しており、その熱を排気ガスから揮発性有機化合物を含む気体（例えば、揮発性有機化合物と空気の混合気体）に供給する。そして、熱が供給された揮発性有機化合物を含む気体が分解部３５に導入されるため、分解部３５内の温度低下を抑制できる。
【０１０７】
また、インクジェット記録装置１００では、分解装置４は、導入口３１から分解部３５に上記揮発性有機化合物を導入するための導入管３３を備え、導入管３３は、分解部３５及び熱交換部３４より外側に設けられている。
【０１０８】
導入管３３は、分解部３５及び熱交換部３４よりも外側に設けられているため、揮発性有機化合物を分解する際に生じる熱を、導入管３３を通過する揮発性有機化合物を含む気体が吸収することができる。また、分解部３５及び熱交換部３４にて生じる熱がキャリッジ２に伝導することをより抑制し、キャリッジ２の熱による損傷を抑制することができる。
【０１０９】
また、インクジェット記録装置１００では、分解装置４は、酸化分解処理法によって上記揮発性有機化合物を分解することが好ましい。
【０１１０】
酸化分解処理法を採用することにより、インクジェット記録装置１００をコンパクトにすることができ、他の分解手法に比べて、長期間安定した揮発性有機化合物の除去性能を維持することができる。酸化分解処理法の具体例としては、触媒方式、バーナー又は電熱線等を使用する直接燃焼方式等が挙げられる。
【０１１１】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【０１１２】
本発明はインクジェットプリントに利用することができる。
【符号の説明】
【０１１３】
１    ヘッド
２    キャリッジ
３    吸着部材（吸着手段）
４    分解装置（分解手段）
５    メディア乾燥ファン
６    ガイド機構
７    プラテン
８    循環用分解装置
９    排気用分解装置
１０  プレプラテン
１１  メインプラテン
１２  アフタプラテン
１３  駆動部
１４  従動部
２０  メディア
３１  導入口
３２  ファン
３３  導入管
３４  熱交換部
３５  分解部
３６  排出口
３７  吸引口
３８  吹き出し口
１００  インクジェット記録装置
【図１】
2014004699.tif 000003
【図２】
2014004699.tif 000004
【図３】
2014004699.tif 000005
【図４】
2014004699.tif 000006
【図５】
2014004699.tif 000007